(57)【要約】      （修正有）【課題】部品点数が極めて少なく、部品の組み立て作業にあってもほとんど大型工具の必要もなく、極めて容易で安価に製作できると共に使い勝手も非常に良く、ワンタッチで操作でき、確実にロックできる携帯用飲料容器を提供する。【解決手段】携帯用飲料容器は、内筒２ａ、外筒２ｂ、間を真空引きした容器本体２と、この容器本体上端口元に装着し、容器本体の口元と連通する飲み口を備えた肩部材３と、この肩部材の後方に枢支し、飲み口を開閉する蓋部材と、この蓋部材の蓋体６を係合する開閉操作部材７と、この開閉操作部材の開閉ボタンをロックするロック部材９とから構成されている。【選択図】図２
0003179418.tif 000002
【実用新案登録請求の範囲】
【請求項１】
金属製真空二重瓶の容器本体（２）の口元外周に筒状の肩部材（３）が螺着され、この肩部材（３）の内側には容器本体（２）内と外部とを通す飲み口（４ａ）を備えた飲み口筒部（４）が一体成形され、この飲み口筒部（４）を開閉可能とする蓋体（６）が設けられ、肩部材（３）の前面には、蓋体（６）を開閉操作させる開閉ボタン（８）と、開閉ボタン（８）の操作をロックするロックボタン（１０）とが設けられ、容器本体（２）内の飲料を飲む際には、開閉ボタン（８）のロックを解除して開閉ボタンを操作し、蓋体（６）を飲み口（４ａ）より開放してなる携帯用飲料容器（１）に於いて、
上記肩部材（３）の前面壁には、開閉ボタン（８）用の復帰バネ（１３）の片側を支えるバネ用突起（１４）と、このバネ用突起の上方周りで分割された山形状の当接盤（１６）とが設けられる一方、
開閉ボタン（８）には、下部に押圧部（８ａ）と、上部に前壁と後壁とを切り欠いて上方に延びた左、右側壁、この左、右側壁を結ぶ上壁とからなるロックボタン用窪み溝（２３）が設けられ、このロックボタン用窪み溝のほぼ中央には、上向きに延びた左、右側壁と連なり上壁よりも低い垂直壁部（２４）が設けられ、上壁の後壁側には、横長の蓋体と係合する係止爪（８ｂ）が設けられ、この垂直壁部（２４）の裏側で左、右側壁の内側には、それぞれ上限規制溝（２６ａ）、（２６ａ）と、下限規制溝（２６ｂ）、（２６ｂ）とが刻設され、
ロックボタン（１０）には、前面壁部（１０ａ）と後面壁部（１０ｃ）と、この両者間にあって、下側から上向きに空洞となって開閉ボタンの垂直壁部（２４）が差し込まれる空洞部（１０ｂ）とが一体的に設けられ、後面壁部（１０ｃ）の下方には、分割された山形状で肩部材の当接盤（１６）と同型の接触盤（１５）が設けられ、接触盤の上方の左、右側壁には、左、右の係合突起（２７）、（２７）が設けられ、
開閉ボタン（８）を軸支する軸ピン（１８）が、ロックボタン（１０）の押し上げ状態でロックボタンの接触盤（１５）よりも上側に位置するよう肩部材（３）の前面の左、右側壁に軸支され
ロックボタン（１０）は、開閉ボタン（８）の上方より開閉ボタンに挟み込まれた状態に維持されており、ロックボタンを押し下げてロックボタンの接触盤（１５）と肩部材の当接盤（１６）とが接触状態の際、開閉ボタンの操作を不能にして蓋体（６）の開閉を阻止し、ロックボタンを押し上げてロックボタンの接触盤（１５）が肩部材の当接盤（１６）よりはずれた状態の際、開閉ボタンの操作を可能にして蓋体（６）の開閉阻止を解除する
ことを特徴とした携帯用飲料容器。
【考案の詳細な説明】
【技術分野】
【０００１】
本考案は、ワンタッチで蓋体を開閉する携帯用飲料容器に関するものである。
【背景技術】
【０００２】
従来、携帯用飲料容器としては、外装体に囲まれた内容器の口元に中栓と中栓に被さったコップとをそれぞれ着脱自在に装着し、外装体の肩部に把手又はハンドルを装着し、内容器の飲料を飲む時、容器本体よりコップを取り外した後に、中栓を緩めコップに容器本体内の飲料を注ぎ、コップに口を付けて飲む注ぎタイプであった。ところがこの注ぎタイプに変わって、コップを不要とし容器本体の中栓キャップを開放した後、容器本体に備えた飲み口に口を直接付けて飲む口付けタイプが特開２００５−１９３９４４号公報（特許文献１、図１参照）として存在する。
【先行技術文献】
【特許文献】
【０００３】
【特許文献１】特開２００５−１９３９４４号公報（図１参照）
【０００４】
以下、特許文献１の図１により従来の携帯用飲料容器について説明する。
この特許文献１の携帯用飲料容器である飲料容器、特にその栓体のロック構造は、蓋部材の回動端に設けられた係合片に係脱可能な係合部を上部に有すると共に、係合部を係止片との係合方向に付勢する付勢手段を有したロックボタンと、該ロックボタンの下部と口栓部材の外周壁との間に挿入されたときにロックボタンのロック解除方向への動きを規制する一方、下方へスライドされ非挿入位置に位置したときにロックボタンのロック解除方向への動きを許容するスライド式ストッパを有するものである。このスライド式ストッパの取り付け構造がロックボタンの真下でロックボタンとは全く同調せずに存在し、このスライド式ストッパがロックボタンの内側に位置するときにはロックし、スライド式ストッパがロックボタンの内側から外れた時にロックが解除されるという構造である。
【考案の概要】
【考案が解決しようとする課題】
【０００５】
ところが、このような構成によれば、ロック手段、スライド式ストッパ手段と共に携帯用飲料容器本体の正面部の狭いスペース間にそれぞれ各部材を配置しなければならず、しかも部品点数も多く煩雑で組み立て作業が極めて難しく、又漸く組み立てても操作がスムーズにいかないことがあり、使い勝手が悪いという問題点があった。
【課題を解決するための手段】
【０００６】
金属製真空二重瓶の容器本体２の口元外周に筒状の肩部材３が螺着され、この肩部材３の内側には容器本体２内と外部とを通す飲み口４ａを備えた飲み口筒部４が一体成形され、この飲み口筒部４を開閉可能とする蓋体６が設けられ、肩部材３の前面には、蓋体６を開閉操作させる開閉ボタン８と、開閉ボタン８の操作をロックするロックボタン１０とが設けられ、容器本体２内の飲料を飲む際には、開閉ボタン８のロックを解除して開閉ボタンを操作し、蓋体６を飲み口４ａより開放してなる携帯用飲料容器１に於いて、上記肩部材３の前面壁には、開閉ボタン８用の復帰バネ１３の片側を支えるバネ用突起１４と、このバネ用突起の上方周りで分割された山形状の当接盤１６とが設けられる一方、開閉ボタン８には、下部に押圧部８ａと、上部に前壁と後壁とを切り欠いて上方に延びた左、右側壁、この左、右側壁を結ぶ上壁とからなるロックボタン用窪み溝２３が設けられ、このロックボタン用窪み溝のほぼ中央には、上向きに延びた左、右側壁と連なり上壁よりも低い垂直壁部２４が設けられ、上壁の後壁側には、横長の蓋体と係合する係止爪８ｂが設けられ、この垂直壁部２４の裏側で左、右側壁の内側には、それぞれ上限規制溝２６ａ、２６ａと、下限規制溝２６ｂ、２６ｂとが刻設され、ロックボタン１０には、前面壁部１０ａと後面壁部１０ｃと、この両者間にあって、下側から上向きに空洞となって開閉ボタンの垂直壁部２４が差し込まれる空洞部１０ｂとが一体的に設けられ、後面壁部１０ｃの下方には、分割された山形状で肩部材の当接盤１６と同型の接触盤１５が設けられ、接触盤の上方の左、右側壁には、左、右の係合突起２７、２７が設けられ、開閉ボタン８を軸支する軸ピン１８が、ロックボタン１０の押し上げ状態でロックボタンの接触盤１５よりも上側に位置するよう肩部材３の前面の左、右側壁に軸支され、ロックボタン１０は、開閉ボタン８の上方より開閉ボタンに挟み込まれた状態に維持されており、ロックボタンを押し下げてロックボタンの接触盤１５と肩部材の当接盤１６とが接触状態の際、開閉ボタンの操作を不能にして蓋体６の開閉を阻止し、ロックボタンを押し上げてロックボタンの接触盤１５が肩部材の当接盤１６よりはずれた状態の際、開閉ボタンの操作を可能にして蓋体６の開閉阻止を解除する構成としている。
【考案の効果】
【０００７】
本考案は、従来の問題点を解決したものであって、部品点数が極めて少なく、部品の組み立て作業にあってもほとんど大型工具の必要もなく、極めて容易で安価に製作できると共に使い勝手も非常に良く、ワンタッチで操作でき、確実にロックできる携帯用飲料容器を提供するにある。
【図面の簡単な説明】
【０００８】
【図１】本考案実施例の斜視図。
【図２】本考案実施例の縦断面図。
【図３】本考案実施例の上部を示す縦断面図。
【図４】本考案他実施例の蓋体を開放する状態の一部縦断面図。
【図５】本考案他実施例の蓋体のロック状態の縦断面図。
【図６】本考案他実施例の蓋体をロックした状態の一部縦断面図。
【図７】本考案他実施例の要部を示す分解斜視図。
【図８】本考案他実施例の開閉ボタンとロックボタンの裏側を示す分解斜視図。
【考案を実施するための形態】
【０００９】
携帯用飲料容器１は、内筒２ａ、外筒２ｂ、間を真空引きした容器本体２と、この容器本体上端口元に装着し、容器本体の口元と連通する飲み口４ａを備えた肩部材３と、この肩部材の後方に枢支し、飲み口４ａを開閉する蓋部材５と、この蓋部材の蓋体６を係合する開閉操作部材７と、この開閉操作部材の開閉ボタン８をロックするロック部材９とから構成されている。
【００１０】
容器本体２の内筒２ａには、図２に示すように、ステンレス等の金属材料にて有底筒状に形成されており、内筒胴部と、この内筒胴部の上端より上方に向けて内側にすぼめた内筒傾斜部と、この内筒傾斜部の上端より上方に延びた内筒最小径部と、この内筒最小径部の上端より上方に向けてわずかに拡がり延びた内筒垂直部とが一体的に形成されている。
【００１１】
容器本体２の外筒２ｂには、図２及び図３に示すように、内筒２ａと間隔を隔てて内筒胴部を囲む外筒胴部と、この外筒胴部の上端より上方に向けて内側にすぼめた外筒傾斜部と、この外筒傾斜部の上端より上方に延びた外筒小径部と、この外筒小径部の上端より更に内側にすぼめてその先端が上方に延びた口元接合部とが一体的に形成されている。
内筒胴部の底を囲む外筒２ｂの底部と外筒胴部とは、同一材料にて別部材として結合されているが、底部と外筒胴部とを同一部材で一体的に形成しても何ら支障をきたすものではない。
【００１２】
外筒２ｂの外筒小径部の外側壁には、後述の肩部材３の雌ネジを螺着する雄ネジが刻設されている。
外筒２ｂの口元接合部と内筒２ａの内筒垂直部の上端とは、重ね合わされて溶接され、容器本体２の口元とされており、この外筒２ｂと内筒２ａとの隙間は、真空とされている。    
【００１３】
肩部材４は、図２乃至図６に示すように、内部中空で内側壁の下方に外筒２ｂの雄ネジに螺着する雌ネジを刻設している。この肩部材４の内側壁上方の前方側には、容器本体２内と連通する飲み口４ａを備えた飲み口筒部４が一体的に形成されている。
肩部材４は、図１又は図７に示すように、正面に前方へ突出した左側壁１１ａ、左側壁１１ａと間隔を隔てた右側壁１１ｂ、左側壁と右側壁間の底を結ぶ底壁１１ｃとからなるＵ字状の前壁１１を配設し、後方外側上部に後述の蓋体６を枢支する枢支部１２を設けている。
【００１４】
この肩部材４のＵ字状の前壁１１内側には、図７に示すように、下部中央に後述の開閉操作部材７の開閉復帰バネ１３の片方を支えるバネ用突起１４が設けられ、このバネ用突起１４の上方半周の回りで分割された山形状の当接盤１６が設けられ、この当接盤１６と間隔を開けた上方には、前方に水平に延びた閉鎖壁１７が設けられている。
この分割された山形状の当接盤１６は、後述のロックボタン１０の分割された接触盤１５と当接したときに、後述の開閉ボタン８の後方押圧を阻止するようにしている。      この閉鎖壁１７は、後述の開閉ボタン８の係止爪８ｂが大きく飲み口筒部４側に入り込まないように規制している。
【００１５】
このＵ字状の前壁１１を形成する左、右側壁１１ａ、１１ｂには、当接盤１６と閉鎖壁１７との間に後述の軸ピン１８を挿入する軸ピン用孔１９ａ、１９ｂがそれぞれ左右同一位置に設けられている。  この軸ピン１８が図３に示すように、ロックボタン１０を押し上げて開閉ボタン８を開閉操作状態にしても、常にロックボタン１０の接触盤１５よりも上方に存在しているので、一旦軸ピン１８が挿入されると開閉ボタンからロックボタンの上方への離脱はあり得ない。
【００１６】
この分割された当接盤１６には、図７に示すように、正面視でバネ用突起１４を中心にして上部半円弧の山形状に設けられ、バネ用突起１４と間隔を隔てた上方の上部当接片１６ａと、この上部当接片１６ａよりも下方でバネ用突起１４の左右の左当接片１６ｂと右当接片１６ｃからなっており、それぞれ同一の幅と肉厚とでそれぞれの当接片には、常にそれぞれ接触面となる面が同一面上になるような平坦面を備えている。
この分割された当接盤１６は、山形状に形成されているが、バネ用突起１４の上方半周の回りで分割された円弧状に形成されてもよい。
【００１７】
蓋部材５は、図３又は図５に示すように、肩部材４の飲み口４ａを開閉する蓋体６と、この蓋体を肩部材後方の枢支部１２に枢支する枢支ピン２０と、蓋体６を常時開放状態に維持しょうとするスプリング２１とからなっている。
蓋体６は、図３又は図５に示すように、ほぼ逆椀状に形成されており、前面内側に後述の開閉ボタン８の係止爪８ｂと係合する係合爪６ａを設け、上壁の一部にパッキン２２を張設している。このパッキン２２は、肩部材４の飲み口４ａに当接するように設けられている。
【００１８】
蓋体６の係合爪６ａの上方には、図３又は図５に示すように、前方に突出した突部６ｂが設けられ、この突部が肩部材４のＵ字状の前壁１１の上方壁に相当する壁となっており、後述のロックボタン１０の最上昇時に、この壁の下方で開閉ボタン８と共にロックボタンが揺動できても、ロックボタンが開閉ボタンより抜き出ることはない。
【００１９】
開閉操作部材７は、図３又は図５に示すように、蓋体６を開閉する開閉ボタン８と、この開閉ボタンをＵ字状の前壁１１内部内に枢支する一本の軸ピン１８と、開閉ボタン８を元の位置に復帰する復帰バネ１３とからなっている。この開閉ボタン８は、肩部材４のＵ字状の前壁１１内部内に収められて、このＵ字状の前壁１１内部内を軸ピン１８を介して前後に揺動自在としている。
【００２０】
開閉ボタン８は、図３又は図８に示すように、下部を薄肉としてその前面を押圧部８ａとし、この押圧部の後壁に復帰バネ１３の片方を支えて復帰バネを保持するバネ用固定部８ｃを設けている。
開閉ボタン８の上部には、厚肉となってこの前壁と後壁とを切り欠いて上方に延びた左、右側壁、この左、右側壁を結ぶ上壁とからなって、後述のロックボタン１０を挿入するロックボタン用窪み２３を設け、上端後部に蓋体６の係合爪６ａに係合する横長の係止爪８ｂを設けている。この係止爪８ｂの下側の壁は、大きく切り欠いている。
【００２１】
この開閉ボタン８のロックボタン用窪み２３には、図６又は図７に示すように、ほぼ中央に上向きに延びて左、右側壁に連なり上壁よりも低く且つ後述のロックボタン１０を上方より差し込み可能とする垂直壁部２４を有し、この垂直壁部の左右両側より後方の後壁部に至る壁間に前後方向に延びた上下二段の上限規制溝２６ａと下限規制溝２６ｂとがそれぞれ設けられている。
【００２２】
この開閉ボタン８の左右に存在する上段の上限規制溝２６ａ内に後述のロックボタン１０の左右に存在する係合突起２７，２７がそれぞれ嵌合されている状態では、開閉ボタン８の操作が不能となって蓋体６は開放されず、左右に存在する下段の下限規制溝２６ｂ内に左右に存在する係合突起２７，２７がそれぞれ嵌合されている状態では、開閉ボタン８の揺動操作が可能となって蓋体６は開放されることとなる。
【００２３】
ロックボタン１０には、図５乃至図８に示すように、ロックボタン用窪み２３内にあって、上下動可能に挿入されており、上下動操作を行う前面壁部１０ａと、開閉ボタン８の垂直壁部２４を下側から挿入する空洞部１０ｂと、この空洞部の後壁で開閉ボタン８の垂直壁部２４と後壁部２５との間に挿入される後面壁部１０ｃとが一体形成されている。           
【００２４】
ロックボタン１０の後面壁部１０ｃの後壁には、図８に示すように、中央の上部接触片１５ａと、この上部接触片１５ａと間隔を隔てた下方の左右両側に左、右接触片１５ｂ、１５ｃとからなる接触盤１５が突設されている。
【００２５】
この接触盤１５は、肩部材の当接盤１６と同一の幅と肉厚とを備えた形状であって、分割された山形状に形成されており、接触盤１５を形成するそれぞれの上部接触片１５ａ、左、右接触片１５ｂ、１５ｃは、接触面となる面が同一面上になるような平坦面を備えている。この分割された接触盤１５は、山形状に形成されているが、当接盤１６と同型の分割された円弧状に形成されてもよい。
【００２６】
このロックボタン１０は、開閉ボタン８の上方より、先ずロックボタン１０の後面壁部１０ｃを開閉ボタン８の後壁部２５の空洞に向けて斜め下方に押し下げ、開閉ボタン８の垂直壁部２４をロックボタン１０の空洞部１０内に挿入させれば、ロックボタンの左右の係合突起２７，２７も上限規制溝２６ａ又は下限規制溝２６ｂ内のどちらかに嵌合した状態で開閉ボタンとセットできる。
【００２７】
このロックボタン１０が開閉ボタン８にセットされれば、開閉ボタンに片方をセットした開閉復帰バネ１３の他方を肩部材４のバネ用突起１４に差し込んだ状態で開閉ボタン８のピン用透孔２８ａ、２８ｃと肩部材４のＵ字状の前壁１１の左、右側壁１１ａ、１１ｂに設けた軸ピン用孔１９ａ、１９ｂとを合わせて、片側より軸ピン１８を嵌め込めば開閉操作部材７と共にロック部材９もセットできる。
【００２８】
従って、組み立てに際しては、開閉ボタン８の空洞部１０内に工具なしでセットでき、更にこのセットされた開閉ボタンを肩部材４のＵ字状の前壁内に差し込み、軸ピン用孔及びピン用透孔を合わせて軸ピンを嵌め込むだけで、組み立て作業の煩わしさもなく、極めて簡単にセットすることができる。
【００２９】
次に、操作について説明する。
先ず、蓋体の閉鎖状態についてみると、図５乃至図８に示すように、ロックボタン１０は、下方に押し下げられた状態であって、ロックボタンの左右の係合突起２７，２７が開閉ボタン８の左右の下限規制溝２６ｂ、２６ｂ内にそれぞれ嵌合している。そして、この状態では、ロックボタンの接触盤１５と肩部材４の当接盤１６とが当接している。
【００３０】
即ち、接触盤１５の上部接触片１５ａと当接盤１６の上部当接片１６ａとが当接し、接触盤１５の左、右接触片１５ｂ、１５ｃと当接盤１６の左、右当接片１６ｂ、１６ｃとがそれぞれ接している状態である。
【００３１】
従って、たとえ開閉ボタン８の押圧部８ａに指を掛けて内側に向けて押圧しても、同時に移動するロックボタンの接触盤１５が当接盤１６の前面に当接しているために、図５乃至図６に示すように、押圧がかなわず、開閉ボタン８の係止爪８ｂが蓋体６の係合爪６ａと係合したままとなって、離れずに確実にロックしたままとなる。
【００３２】
次に、蓋体の開放状態についてみると、図３乃至図８に示すように、ロックボタン１０が上方に押し上げられた状態であって、ロックボタンの左右の係合突起２７，２７がそれぞれ開閉ボタン８の左右の上限規制溝２６ｂ、２６ｂ内にそれぞれ嵌合している。そして、この状態では、ロックボタンの接触盤１５が肩部材４の当接盤１６に当接せず、接触盤１５の上部接触片１５ａ、左、右接触片１５ｂ、１５ｃのそれぞれが当接盤１６の上部当接片１６ａ、左、右当接片１６ｂ、１６ｃのそれぞれの上方に位置している。
軸ピン１８は、このときも接触盤１５の上部接触片１５ａの上方に位置した状態である。
【００３３】
従って、開閉ボタン８の押圧部８ａに指を掛けて内側に向けて押圧すれば、ロックボタンの接触盤１５が当接盤１６に当接することがないために、図３乃至図４に示すように、開閉ボタン８と共にロックボタン１０も上方斜め前方に向けて揺動して、開閉ボタン８の係止爪８ｂより蓋体６の係合爪６ａがはずれて、スプリング２１の反発力によって蓋体が開くこととなる。
【符号の説明】
【００３４】
１…携帯用飲料容器
２…容器本体
３…肩部材
４…飲み口筒部
４ａ…飲み口
５…蓋部材
６…蓋体
６ａ…係合爪
７…開閉操作部材
８…開閉ボタン
８ａ…押圧部
８ｂ…係止爪
８ｃ…バネ用固定部
９…ロック部材
１０…ロックボタン
１０ａ…前面壁部
１０ｂ…空洞部
１０ｃ…後面壁部
１１…Ｕ字状の前壁
１３…復帰バネ
１５…接触盤
１５ａ…上部接触片
１５ｂ…左接触片
１５ｃ…右接触片
１６…当接部
１６ａ…上部当接片
１６ｂ…左当接片
１６ｃ…右当接片
１８…軸ピン
２３…ロックボタン用窪
２４…垂直壁部
２６ａ…上限規制溝
２６ｂ…下限規制溝
２７、２７…係合突起
【図１】
0003179418.tif 000003
【図２】
0003179418.tif 000004
【図３】
0003179418.tif 000005
【図４】
0003179418.tif 000006
【図５】
0003179418.tif 000007
【図６】
0003179418.tif 000008
【図７】
0003179418.tif 000009
【図８】
0003179418.tif 000010